(57)【特許請求の範囲】
【請求項１】
フロントケースとリアケースとからなり、内部に電子部品を装填した外箱、
上記外箱内に収容されると共に、上記フロントケースに設けられた表示窓に表示面側を対向・近接配置される液晶表示素子、
該液晶表示素子の一側面側に設けられ、上記液晶表示素子内部に封入された液晶を封止する封止部、
上記封止部近傍の領域を含んで上記リアケース表面に形成された凹部、
この凹部内に装着される電池パック
を備えたことを特徴とする携帯情報端末。
【請求項２】
フロントケースとリアケースとからなり、内部に電子部品を装填した外箱、
上記フロントケースに設けられ、該フロントケースの幅方向寸法と略同一の幅方向寸法を有する表示窓、
上記外箱内に収容されると共に、上記表示窓に表示面側を対向・近接配置され、上記表示窓と略同一の幅方向寸法を有する液晶表示素子、
この液晶表示素子内部に封入された液晶を封止する封止部、
上記封止部近傍の領域を含んで上記リアケース表面に形成され、電池パックが装着される凹部、
上記フロントケースから加わる外力が上記封止部近傍に伝達するのを抑制する補強部材を備えたことを特徴とする携帯情報端末。
【請求項３】
一端にスピーカ部、他端にマイク部が形成されると共に、キー釦が装着される操作部が形成されたフロントケースとリアケースとからなり、内部に電子部品を装填した外箱、
上記フロントケースのスピーカ部近傍に設けられ、該フロントケースの幅方向寸法と略同一の幅方向寸法を有する表示窓、
上記外箱内に収容されると共に、上記表示窓に表示面側を対向・近接配置され、上記表示窓と略同一の幅方向寸法を有する液晶表示素子、
この液晶表示素子内部に封入された液晶を封止する封止部、
上記封止部近傍の領域を含んで上記リアケース表面に形成され、電池パックが装着される凹部、
上記外箱内の上記液晶表示素子裏面側に配置され、上記フロントケースのスピーカ部及びマイク部の位置に対応してスピーカ及びマイクを実装すると共に、上記フロントケースの表示窓とマイク部との間の上記操作部のキー位置に対応してキースイッチを配列・実装した回路基板、
上記フロントケースから加わる外力が上記封止部近傍に伝達するのを抑制する補強部材を備えたことを特徴とする携帯情報端末。
【請求項４】
外箱内の液晶表示素子裏面側に配置され、電子部品を実装した回路基板を備えたことを特徴とする請求項２記載の携帯情報端末。
【請求項５】
補強部材は、液晶表示素子の他側面側近傍で、フロントケースの裏面に突設形成され、先端部が回路基板に当接したリブであることを特徴とする請求項３又は請求項４記載の携帯情報端末。
【請求項６】
回路基板に取り付けられ、液晶表示素子を保持する液晶表示素子用ホルダーを有し、
補強部材は、
液晶表示素子の他側面側の上記液晶表示用ホルダー縁部に突設され、先端部がフロントケース裏面に当接したリブであることを特徴とする請求項３又は請求項４記載の携帯情報端末。
【発明の詳細な説明】
【０００１】
【発明の属する技術分野】
この発明は、例えば携帯電話機等の携帯情報端末及び携帯情報端末の表示部に適用される液晶表示素子に関する。
【０００２】
【従来の技術】
まず、従来の携帯情報端末に適用される液晶表示素子の構成について説明する。
【０００３】
一般に、携帯情報端末には文字記号等の情報を表示する表示部が設けられている。そして、その表示部は、小型軽量化を図るために液晶表示素子が適用されることが多い。
【０００４】
図６は、従来の携帯情報端末に適用された液晶表示素子を示す図であり、１は液晶表示素子、２は後述する接続部４を介して入力する表示制御信号に応じて文字、記号等の情報を表示する表示面であり、該表示面２の幅方向の一側面側に上記液晶表示素子１内部に封入された液晶を封止する封止部３、上記幅方向と直角の方向の一側面に表示制御信号を入力する接続部４を配している。この接続部４には、表示制御信号を接続部４へ出力する表示制御回路５ａが実装されたフレキシブル基板５が接続されている。
【０００５】
次に、液晶表示素子１の製造手順を図１２に基づいて説明する。
【０００６】
網の目状の表示パターン６が内側に印刷された２枚の液晶表示素子基板（以下ＬＣＤ基板と称する。）７、７を対向させ、該ＬＣＤ基板７の周囲に封止部３に相当する箇所を残して樹脂等のシール材８を塗布して接着することにより、２枚のＬＣＤ基板７、７間に間隙を形成すると共に、液晶を封入するための封入口９を形成する。また、表示制御信号の入力が行えるよう上記対向するＬＣＤ基板７の内側に印刷された表示パターン６の一部が接続部４として、上述したフレキシブル基板５を接続できるように、対向するＬＣＤ基板７、７一側面側に段差が形成されるように接着がなされる。次いで、封入口９からＬＣＤ基板７、７間に形成した間隙内に液晶を封入して、この封入口９に例えば樹脂などを溶着して封止し、封止部３を形成する。最後に、この液晶表示素子１の両面に、偏光板を貼りつける。
【０００７】
なお、従来の液晶表示素子１は、図６で説明した通り、封止部３を配する一側面の方向と接続部４を配する一側面の方向は互いに直角の方向にある。これらの配置の関係は、同時に複数の液晶表示素子１を切り出していく大量生産に向いていたからである。即ち、対向するＬＣＤ基板７、７をそれぞれ大きな一枚板として、該ＬＣＤ基板７、７を複数の液晶表示素子１が製造できるようにシール材８で貼り合わせた後、対向するＬＣＤ基板７間が段差となる接続部４を効率よく切断して形成させるには、封止部３を配する側面と接続部４を配する側面は互いに直角の方向にある必要があった。
【０００８】
次に、このように構成された液晶表示素子１の耐外力強度について図に基づいて説明する。
【０００９】
図１３は液晶表示素子の耐外力強度を測定する方法を示す図及び耐外力強度の測定値を示す図である。
【００１０】
図１３（ａ）は液晶表示素子１の封止部３近傍（以下Ｐ部とする。）の耐外力強度を測定する方法を示す平面図及び正面図であり、Ａは液晶表示素子１に荷重を付加するための直径３ｍｍの金属棒、Ｂは荷重点の両端部で裏面側から液晶表示素子１を支える先端部が曲面形状の支持台である。図１３（ａ）のように支持台Ｂに設置された液晶表示素子１の表示面２上のＰ部に、金属棒Ａで表示面２に対し垂直に静荷重を加えていき、液晶表示素子１にひび割れ等の破損が生じた時点での荷重値を液晶表示素子１の封止部３の耐外力強度（ニュートン（Ｎ））として測定した。なお、２ａは透過する光を選択的に透過する偏光板で、液晶表示素子１の両面に貼りつけられている。
【００１１】
一方、図１３（ｂ）は液晶表示素子１の封止部３に対向する他端側近傍（以下Ｑ部とする。）の耐外力強度を測定する方法を示す平面図及び正面図であり、上記図１３（ａ）の場合と同様に測定した。
【００１２】
図１３（ｃ）は、図１３（ａ）及び（ｂ）の測定方法で耐外力強度を測定した結果をまとめた図であり、数十サンプルの測定結果に基づくＰ部及びＱ部の耐外力強度の平均値（Ｎ）を対比して示したものである。
【００１３】
図１３（ｃ）で示す通り、Ｐ部、即ち液晶表示素子１の封止部３近傍が、Ｑ部、即ち液晶表示素子１の封止部３に対向する他端側近傍よりも、著しく耐外力強度がないことがわかる。
【００１４】
これは封止部３周辺に表示面６側から外力を加えた時に、樹脂等の溶着部である封止部３に応力が集中し、亀裂が発生しやすいためである。
【００１５】
次に、このような液晶表示素子１を用いた携帯情報端末の構成を図に基づいて説明する。
【００１６】
図５は従来の液晶表示素子を用いた携帯情報端末の断面図、図７は従来の携帯情報端末に液晶表示素子を実装した図、図８は携帯情報端末の構成を示す斜視図である。
【００１７】
まず、図８にて携帯情報端末の構成を説明する。ここでは、フロントケース周辺のユニット、及びこのフロントケースとリアケースからなる外箱内に装填される電子部品のユニットに分けて説明する。
【００１８】
最初にフロントケース周辺のユニットについて構成説明する。
【００１９】
図において、１０は樹脂成形されたフロントケースで、一端にスピーカ部１１、他端にマイク部１２が形成されると共に、キー釦１３が装着されている。１４は表示窓で、上記フロントケース１０の上記スピーカ部１１近傍に設けられ、上記フロントケース１０の幅方向寸法と略同一の幅方向寸法を有する。また、このフロントケース１０にはキー釦１３を配する面を保護するため、フロントケース１０のマイク部１２近傍の一端側を中心に回動可能なフリップ１５を配置している。
【００２０】
なお、フロントケース１０は樹脂成形されたリアケース１６と共に、内部に電子部品を装填する外箱を形成する。フロントケース１０とリアケース１６によって形成される外箱は、内部に電子部品を装填した後に、例えば爪による嵌合やネジ締めによって合わさって固定される。
【００２１】
次にこのフロントケース１０とリアケース１６からなる外箱内に装填される電子部品のユニットについて図８を用いて構成の説明する。
【００２２】
図において、１７は回路基板で、上記スピーカ部１１及びマイク部１２の位置に対応して、スピーカ１８及びマイク１９をそれぞれスピーカホルダー２０及びマイクホルダー２１で保持して実装すると共に、フロントケース１０の表示窓１４とマイク部１２との間の上記操作部のキー釦１３位置に対応してキースイッチ２２を配列・実装する。２３は回路基板１７に取り付けられた液晶表示素子用ホルダーで、上記フロントケース１０の表示窓１４に液晶表示素子１の表示面２側を対向・近接配置されるよう位置対応させて、該液晶表示素子１を保持する。
【００２３】
なお、上記回路基板１７には上記スピーカ１８、マイク１９、キースイッチ２２、及び液晶表示素子１等の他様々な電子部品が実装される。
【００２４】
更に、２４は内部に剛性のある金属体で構成された電池セルを内部に備え、この電池セルを樹脂のケースによって包含する電池パックである。電池パック２４は上記リアケース１６側から該リアケース１６表面に形成した凹部に装着されて外箱に取り付けられ、回路基板１７を介して上記スピーカ１８、マイク１９、キースイッチ２２、及び液晶表示素子１等様々な電子部品に電源供給を行う。
【００２５】
次に、図７で従来の携帯情報端末に液晶表示素子を実装した構成について説明する。
【００２６】
液晶表示素子１は、表示窓１４と略同一の幅方向寸法を有するもので、上述したとおり、上記表示面２の幅方向の一側面側に上記液晶表示素子１内部に封入された液晶を封止する封止部３、上記幅方向と直角の方向の一側面に表示制御信号を入力する接続部４を配している。
【００２７】
次に、表示窓１４近傍の実装構成を従来の液晶表示素子を用いた携帯情報端末の断面図である図５で説明する。
【００２８】
フロントケース１０の幅方向寸法と表示窓１４の幅方向寸法、この表示窓１４の幅方向寸法と液晶表示素子１の幅方向寸法が互いに略同一寸法であるように構成されている。これは、携帯情報端末の小型軽量化のためによるもので、液晶表示素子１の幅方向寸法に合わせて極限まで、表示窓１４及びフロントケース１０の幅方向寸法を小さくしているからである。ここで、２３ａは表示窓１４の寸法に合わせて液晶表示素子１の表示面２の周縁とフロントケース１０間に実装される緩衝材である。なお、２５は樹脂による成形物で、回路基板１７に実装された電子部品を電磁波から保護するシールドケースである。
【００２９】
【発明が解決しようとする課題】
従来の携帯情報端末及び液晶表示素子は、上述のとおり構成されており、耐外力強度が著しく劣る液晶表示素子の封止部は携帯情報端末に装着されたとき図１１に示すＧ部又はＩ部に位置させている。しかしながら、Ｇ部又はＩ部は耐外力強度が小さい箇所であり、かつ、Ｇ部又はＩ部の幅方向端部は液晶表示素子が端部極限まで近接配置されているため、補強部材を設けることも困難であった。従って、フロントケースから加わる外力によって液晶表示素子の封止部近傍が破損しやすい構成であった。
【００３０】
この発明は、上記のような従来の問題点に鑑みてなされたものであり、外力により液晶表示素子の封止部近傍が破損されるのを保護することを目的としている。
【００３１】
【課題を解決するための手段】
この発明の請求項１の係わる携帯情報端末は、フロントケースとリアケースとからなり、内部に電子部品を装填した外箱、上記外箱内に収容されると共に、上記フロントケースに設けられた表示窓に表示面側を対向・近接配置される液晶表示素子、該液晶表示素子の一側面側に設けられ、上記液晶表示素子内部に封入された液晶を封止する封止部、上記封止部近傍の領域を含んで上記リアケース表面に形成された凹部、この凹部内に装着される電池パックから構成したものである。
【００３２】
また、この発明の請求項２に係わる携帯情報端末は、フロントケースとリアケースとからなり、内部に電子部品を装填した外箱、上記フロントケースに設けられ、該フロントケースの幅方向寸法と略同一の幅方向寸法を有する表示窓、上記外箱内に収容されると共に、上記表示窓に表示面側を対向・近接配置され、上記表示窓と略同一の幅方向寸法を有する液晶表示素子、この液晶表示素子内部に封入された液晶を封止する封止部、上記封止部近傍の領域を含んで上記リアケース表面に形成され、電池パックが装着される凹部、上記フロントケースから加わる外力が上記封止部近傍に伝達するのを抑制する補強部材から構成したものである。
【００３３】
また、この発明の請求項３に係わる携帯情報端末は、一端にスピーカ部、他端にマイク部が形成されると共に、キー釦が装着される操作部が形成されたフロントケースとリアケースとからなり、内部に電子部品を装填した外箱、上記フロントケースのスピーカ部近傍に設けられ、該フロントケースの幅方向寸法と略同一の幅方向寸法を有する表示窓、上記外箱内に収容されると共に、上記表示窓に表示面側を対向・近接配置され、上記表示窓と略同一の幅方向寸法を有する液晶表示素子、この液晶表示素子内部に封入された液晶を封止する封止部、上記封止部近傍の領域を含んで上記リアケース表面に形成され、電池パックが装着される凹部、上記外箱内の上記液晶表示素子裏面側に配置され、上記フロントケースのスピーカ部及びマイク部の位置に対応してスピーカ及びマイクを実装すると共に、上記フロントケースの表示窓とマイク部との間の上記操作部のキー位置に対応してキースイッチを配列・実装した回路基板、上記フロントケースから加わる外力が上記封止部近傍に伝達するのを抑制する補強部材から構成したものである。
【００３４】
また、この発明の請求項４に係わる携帯情報端末は、請求項２における携帯情報端末であって、外箱内の液晶表示素子裏面側に配置され、電子部品を実装した回路基板を有したものである。
【００３５】
また、この発明の請求項５に係わる携帯情報端末は、請求項３又は４における携帯情報端末であって、補強部材を、液晶表示素子の他側面側近傍で、フロントケースの裏面に突設形成され、先端部が回路基板に当接したリブで構成したものである。
【００３６】
また、この発明の請求項６に係わる携帯情報端末は、請求項３又は４における携帯情報端末であって、回路基板に取り付けられ、液晶表示素子を保持する液晶表示素子用ホルダーを有し、補強部材を、液晶表示素子の他側面側の上記液晶表示用ホルダー縁部に突設され、先端部がフロントケース裏面に当接したリブで構成したものである。
【００３７】
また、この発明の請求項７に係わる液晶表示素子は、内部に液晶が封入され、入力する表示制御信号に応じて表示面に情報表示する液晶表示素子において、一側面側に表示制御信号を入力する接続部、前記一側面側に対向する他側面側に上記液晶表示素子内部に封入された液晶を封止する封止部を設けたものである。
【００３８】
【発明の実施の形態】
実施の形態１．
まず、携帯情報端末の耐外力に対する強度について説明する。
【００３９】
図９は携帯情報端末の構成を説明する正面図及び断面図である。
【００４０】
既に携帯情報端末の構成については、図８に基づいて説明しているので、ここでは各部の配置関係について述べる。
【００４１】
フロントケース１０とリアケース１６からなる外箱内に液晶表示素子１、スピーカ１８、マイク１９、キー釦１３とキースイッチ２２からなる操作部、電子部品を実装する回路基板１７及びシールドケース２５等の電子部品を装填している。また、電池パック２４はリアケース１６に形成された凹部へバッテリロック２６によって取り付けられており、通常、上記キー釦１３とキースイッチ２２からなる操作部の裏面側に配置されている。
【００４２】
ここで、電池パック２４について述べると、上述した通り、内部に剛性のある金属体で構成された電池セル２７を備えていて、この電池セル２７を樹脂成形されたケースによって包含する。
【００４３】
従って、この電池パック２４は、携帯情報端末の構成の中で、剛性が非常に高いといえる。そのために通常は、上記のように操作時に釦を押すなど外力が加わる頻度が高い部分であるキー釦１３とキースイッチ２２からなる操作部の裏面側に配置される。
【００４４】
一方、携帯情報端末で特に耐外力に対して弱い部分は、液晶表示素子１を配する表示窓１４周辺と言われている。これは、この液晶表示素子１が主にガラスで形成されて、且つ、上述した通り、封止部３という非常に強度的に弱い部分をもっていることが原因と言える。
【００４５】
ここで、携帯情報端末の表示窓１４周辺に対する耐外力強度を図に基づいて説明する。
【００４６】
図１０はこの表示窓１４周辺に外力を加えるイメージ図で、携帯情報端末の表示窓に外力を加える方向を矢印で示す。このように表示窓１４に対して略垂直方向に外力を加えることによって、この表示窓１４周辺の耐外力強度を測定する。
【００４７】
図１１は携帯情報端末の表示窓１４周辺に対する耐外力強度の測定箇所を説明する図及び各箇所の耐外力強度の測定結果を示す図である。
【００４８】
耐外力強度の測定として、図１１のＤ〜Ｌまで９カ所を直径約１０ｍｍの丸棒を当てて静荷重を加えることによって行っており、測定値は液晶表示素子１にヒビ割れ等著しい欠陥を起こした時点のものとしている。
【００４９】
各箇所の耐外力強度の測定結果では、表示窓１４の中央下端側のＫ部を基準に各箇所の耐外力強度の測定値を絶対値で示している。この結果から、表示窓１４の幅方向では中央から端にいくにつれて耐外力強度が強く、また表示窓１４の幅方向と直角の方向、即ち表示窓１４の高さ方向では、キー釦１３を含む操作部に近づくにつれて耐外力強度が増していることがわかる。
【００５０】
これは、スピーカ部１１と表示窓１４周辺を全体として見たとき、この部分は一つの箱体、即ちスピーカ部１１と表示窓１４周辺を箱体の一平面と見て、携帯情報端末の厚み方向を箱体の高さであると捕らえるこことができる。この箱体の中央内部は上記に説明したキー釦１３とキースイッチ２２からなる操作部に比べ実装密度も低く、また、剛性が強い電池パック２４も近傍にないので非常にたわみ易い。一方、この箱体の外枠部分はたわみ難いことが言える。
【００５１】
従って、図１１では箱体の略中央部であるＥ、Ｈ部はたわみ易く、Ｅ、Ｈ部から幅方向に外側に向けた箱体の側面側であるＤ、Ｇ、Ｊ、Ｆ、Ｉ、Ｌの各部はたわみ難いことがいえる。
【００５２】
なお、Ｊ、Ｋ、Ｌの各部は箱体において、開口されている部分と捕らえることができる。この部分は開口されているため、一見強度が弱い部分と見られるが、このＪ、Ｋ、Ｌの各部は、キー釦１３とキースイッチ２２からなる操作部に近く、またこの操作部の背面側には上述したように剛性の高い電池パック２４が配置される。このためにＪ、Ｋ、Ｌの各部は特に強度が強くなっている。
【００５３】
なお、箱体で本来なら表示窓１４の幅方向で左右対象であるべき、Ｇ部とＩ部で、強度差が見られるが、これはＩ部付近に従来の携帯情報端末では液晶表示素子１の封止部３が実装されていたためで、上述の通り強度的に弱い封止部３の破損が大きく影響している。
【００５４】
本発明の実施の形態１を図に基づいて説明する。
【００５５】
図１はこの発明の実施の形態１に係わる液晶表示素子を用いた携帯情報端末の断面図、図２はこの発明の実施の形態１に係わる携帯情報端末に用いる液晶表示素子の図、図３はこの発明の実施の形態１に係わる携帯情報端末に液晶表示素子を実装した図、図４はこの発明の実施の形態１に係わる補強部材を説明する図である。
【００５６】
上述の通り、携帯情報端末の表示窓１４周辺において、特に耐外力強度が強い部分は、電池パック２４近傍である。
【００５７】
そこで、図１及び図３の通り、電池パック２４が装着された耐外力強度の強い部分の近傍に液晶表示素子１の封止部３を配置して、フロントケース１０からの外力から上記封止部３近傍を保護している。
【００５８】
一方、上記の場合にて携帯情報端末から電池パック２４を取り外した場合、表示窓１４の耐外力強度は確保できない。そこで、封止部３が配される部分の耐外力強度が電池パック２４なしでも確保できるように、補強部材を封止部３近傍に設けた例を以下に示す。
【００５９】
図１において、１０ａは上記補強部材に相当するもので、液晶表示素子１の封止部３を配する側面側で、フロントケースの裏面に突出形成され、その先端部が回路基板７に当接するリブである。このリブ１０ａにより、フロントケース１０からの外力が封止部３近傍に伝達するのを抑制することができる。図４に補強部材であるこのリブ１０ａを斜視図で示す。ここで、このリブ１０ａは表示窓１４の幅方向に横断するように配置されているが、このリブ１０ａは封止部３近傍に配置されれば良い。
【００６０】
また、図１において２３ｂはリブ１０ａと同じく、上記補強部材に相当するもので、液晶表示素子１の封止部３を配する側面側の液晶表示素子ホルダー２３縁部に突設され、先端部がフロントケース１０の裏面に直接当接あるいは緩衝材２３ａを介して当接したリブである。これにより、上記リブ１０ａと同様にフロントケース１０からの外力が封止部３近傍に伝達するのを抑制することができる。図３にこの発明の実施の形態１に係わる携帯情報端末に液晶表示素子１を実装した図を示す。リブ２３ｂは液晶表示素子１の幅方向全体に配置されているが、このリブ２３ｂは封止部３近傍に配置されていれば良い。
【００６１】
【発明の効果】
以上のように、請求項１に係わる発明によれば、封止部近傍に電池パックを配置しているので、フロントケースからの外力により封止部近傍が破損するのを保護することができる効果がある。
【００６２】
また、請求項２、請求項３及び請求項４に係わる発明によれば、フロントケースからの外力に対する補強部材を設けているので、フロントケースからの外力が封止部近傍に伝達するのを抑制することができる効果がある。
【００６３】
また、請求項５に係わる発明によれば、フロントケースの裏面に突出形成されたリブが液晶表示素子の封止部近傍で、回路基板に先端部を当接させているので、フロントケースからの外力が封止部近傍に伝達するのを抑制することができる効果がある。
【００６４】
また、請求項６に係わる発明によれば、液晶表示素子ホルダー縁部に突設したリブが液晶表示素子の封止部近傍で、フロントケース裏面に先端部を当接させているので、フロントケースからの外力が封止部近傍に伝達するのを抑制することができる効果がある。
【００６５】
また、請求項７に係わる発明によれば、液晶表示素子の一側面側に接続部、この一側面側に対向する他側面側に封止部を備えているので、携帯情報端末の耐外力強度の強い箇所に封止部を位置させることができる。
【図面の簡単な説明】
【図１】  この発明の実施の形態１に係わる液晶表示素子を用いた携帯情報端末の断面図である。
【図２】  この発明の実施の形態１に係わる携帯情報端末に用いる液晶表示素子の図である。
【図３】  この発明の実施の形態１に係わる携帯情報端末に液晶表示素子を実装した図である。
【図４】  この発明の実施の形態１に係わる補強部材を説明する図である。
【図５】  従来の液晶表示素子を用いた携帯情報端末の断面図である。
【図６】  従来の携帯情報端末に用いられていた液晶表示素子の図である。
【図７】  従来の携帯情報端末に液晶表示素子を実装した図である。
【図８】  携帯情報端末の構成を説明する図である。
【図９】  携帯情報端末の構成を説明する正面図及び断面図である。
【図１０】  携帯情報端末の表示窓に外力を加える方向を説明する図である。
【図１１】  携帯情報端末の表示窓周辺に対する耐外力強度の測定箇所を説明する図及び各測定箇所の測定値を示す図である。
【図１２】  携帯情報端末に用いる液晶表示素子の詳細な構成説明する図である。
【図１３】  液晶表示素子の耐外力強度を測定する方法を示す図及び耐外力強度の測定値を示す図である。
【符号の説明】
１  液晶表示素子、  ２  表示面、  ３  封止部、  ４  接続部、  １０  フロントケース、  １０ａ  リブ、  １１  スピーカ部、  １２  マイク部、  １３  キー釦、  １４  表示窓、  １６  リアケース、  １７  回路基板、  １８スピーカ、  １９  マイク、  ２２  キースイッチ、  ２３  液晶表示素子用ホルダー、  ２３ｂ  リブ、  ２４  電池パック、  ２５  シールドケース。
【図１】
0003823639.tif 000002
【図２】
0003823639.tif 000003
【図３】
0003823639.tif 000004
【図４】
0003823639.tif 000005
【図５】
0003823639.tif 000006
【図６】
0003823639.tif 000007
【図７】
0003823639.tif 000008
【図８】
0003823639.tif 000009
【図９】
0003823639.tif 000010
【図１０】
0003823639.tif 000011
【図１１】
0003823639.tif 000012
【図１２】
0003823639.tif 000013
【図１３】
0003823639.tif 000014